Podtech/llm-jp-corpus-v4-ja_patent huggingface dataset:
【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】  インタラクティブテレビ番組ガイドがユーザテレビ装置上に実装されたシステムであって、
インタラクティブテレビ番組ガイドを用いて番組リスト領域を含む番組ガイド画面を提示する手段と、
該番組リストに隣接する少なくとも１つのバナー広告を提示する手段と、
該バナー広告上にハイライトを配置し、カーソルを活性化することによって、ユーザが該番組リスト領域をスクロールすることを可能にする手段と
を備えた、システム。
【請求項２】  前記少なくとも１つのバナー広告を提示する手段が、ビデオを含むバナー広告を提示する手段をさらに備えている、請求項１に記載のシステム。
【請求項３】  前記バナー広告を提示する手段が、前記番組リストに隣接する選択可能なバナー広告を提示する手段をさらに備えている、請求項１に記載のシステム。
【請求項４】  前記番組リスト領域に埋め込み広告を提示する手段をさらに備えている、請求項１に記載のシステム。
【請求項５】  前記番組リスト領域に選択可能な埋め込み広告を提示する手段をさらに備えている、請求項１に記載のシステム。
【請求項６】  ユーザテレビ装置上に実装されたインタラクティブテレビ番組ガイドを使用する方法であって、
インタラクティブテレビ番組ガイドを用いて番組リスト領域を含む番組ガイド画面を提示するステップと、
該番組リストに隣接する少なくとも１つのバナー広告を提示するステップと、
該バナー広告上にハイライトを配置し、カーソルを活性化することによって、ユーザが該番組リスト領域をスクロールすることを可能にするステップと
を包含する、方法。
【請求項７】  前記少なくとも１つのバナー広告を提示するステップが、ビデオを含むバナー広告を提示するステップをさらに包含する、請求項６に記載の方法。
【請求項８】  前記バナー広告を提示するステップが、前記番組リストに隣接する選択可能なバナー広告を提示するステップをさらに包含する、請求項６に記載の方法。
【請求項９】  前記番組リスト領域に埋め込み広告を提示するステップをさらに包含する、請求項６に記載の方法。
【請求項１０】  前記番組リスト領域に選択可能な埋め込み広告を提示するステップをさらに包含する、請求項６に記載の方法。
【請求項１１】  インタラクティブテレビ番組ガイドがユーザテレビ装置上に実装されたシステムであって、
インタラクティブテレビ番組ガイドを用いて番組リスト領域を含む番組ガイド画面を提示する手段と、
該番組リスト領域に隣接する少なくとも１つのパネル広告を提示する手段と、
該番組リスト領域に埋め込み広告を表示する手段と、
ハイライトを表示する手段と、
該埋め込み広告をナビゲーションブリッジとして用いて、前記番組リスト領域から該パネル広告に該ハイライトをナビゲートする手段と
を備えた、システム。
【請求項１２】  前記パネル広告を提示する手段が、選択可能なパネル広告を表示する手段をさらに備えている、請求項１１に記載のシステム。
【請求項１３】  前記パネル広告を提示する手段が、ビデオを含むパネル広告を提示する手段をさらに備えている、請求項１１に記載のシステム。
【請求項１４】  前記番組リスト領域に選択可能な埋め込み広告を提示する手段をさらに備えている、請求項１１に記載のシステム。
【請求項１５】  ユーザテレビ装置上に実装されたインタラクティブテレビ番組ガイドを使用する方法であって、
インタラクティブテレビ番組ガイドを用いて番組リスト領域を含む番組ガイド画面を提示するステップと、
該番組リスト領域に隣接する少なくとも１つのパネル広告を提示するステップと、
該番組リスト領域に埋め込み広告を表示するステップと、
ハイライトを表示するステップと、
該埋め込み広告をナビゲーションブリッジとして用いて、該番組リスト領域から該パネル広告に該ハイライトをナビゲートするステップと
を包含する、方法。
【請求項１６】  前記パネル広告を提示するステップが、選択可能なパネル広告を表示するステップをさらに包含する、請求項１５に記載の方法。
【請求項１７】  前記パネル広告を提示するステップが、ビデオを含むパネル広告を提示するステップをさらに包含する、請求項１５に記載の方法。
【請求項１８】  前記番組リスト領域に選択可能な埋め込み広告を提示するステップをさらに包含する、請求項１５に記載の方法。
【請求項１９】  インタラクティブテレビ番組ガイドがユーザテレビ装置上に実装されたシステムであって、
インタラクティブテレビ番組ガイドを用いて番組リスト領域を含む番組ガイド画面を表示する手段と、
該番組リスト領域内の番組リストのうち関連する番組リストのすぐ隣に、該番組リスト領域内の埋め込み広告を自動的に表示する手段と
を備えた、システム。
【請求項２０】  ユーザテレビ装置上に実装されたインタラクティブテレビ番組ガイドを使用する方法であって、
インタラクティブテレビ番組ガイドを用いて番組リスト領域を含む番組ガイド画面を表示するステップと、
該番組リスト領域内の番組リストのうち関連する番組リストのすぐ隣に、該番組リスト領域内の埋め込み広告を自動的に表示するステップと
を包含する、方法。
【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】  データを受け取るための少なくとも１つのポートと、表示される入力データを格納するためのデータバッファ領域およびグラフィックデータを格納するためのグラフィックバッファ領域を含むメモリ手段と、を備えたレシーバ／デコーダにおいて、該グラフィックバッファ領域内に格納されたグラフィックデータを該データバッファ領域に送り、その中に格納された表示データと組合せる工程を含む、ビデオデータ処理方法。
【請求項２】  データを受け取るための少なくとも１つのポートと、表示される入力データを格納するためのデータバッファ領域およびグラフィックデータを格納するためのグラフィックバッファ領域を含むメモリ手段と、該グラフィックバッファ領域内に格納されたグラフィックデータを該データバッファ領域に送ってその中に格納された表示データと組合せるための手段と、を備えたレシーバ／デコーダ。
【請求項３】  請求項２に記載のレシーバ／デコーダ、および前記データを放送するための手段とを含む放送および受信システム。
【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】  インタラクティブテレビ番組ガイドがユーザテレビ装置（４４）上に実装されたシステム（３０）であって、
該インタラクティブテレビ番組ガイドを所与のチャンネル用の映像（１２４）を含む番組ガイド画面（７８）に提供する手段（４８、５２）と、
単一のチャンネル用の単一の番組リスト（８４）および広告（８２）を含む番組リスト表示領域を該番組ガイド画面（７８）において提供する手段（４８、５２）であって、該番組リスト表示領域は、ブラウズ表示およびフリップ表示のうちの１つである、手段と、
該所与のチャンネル用の映像上に該番組リスト表示領域をオーバーレイする手段と、
強調表示（１０８）を提供する手段と、
該強調表示（１０８）を該番組リスト（１１０）から該広告（１１２）にナビゲートする能力をユーザに提供する手段と
を備えた、システム（３０）。
【請求項２】  前記広告（８２）を提供する手段が、テキスト、グラフィックス、または映像を含む広告を提供する手段（３６、４８）をさらに備えている、請求項１に記載のシステム（３０）。
【請求項３】  前記広告（８２）が映像を含み、
前記システム（３０）が、
テレビ番組を前記ユーザテレビ装置（４４）に配信するテレビ配信設備（３８）と、
該テレビ配信設備（３８）内に設けられた映像サーバ（４２）であって、該ユーザテレビ装置（４４）に該広告（８２）を提供する映像サーバ（４２）と
をさらに備えている、請求項１に記載のシステム（３０）。
【請求項４】  前記広告（８２）を提供する手段が、選択可能な広告（１１２）を提供する手段（３６、４８）をさらに備えている、請求項１に記載のシステム（３０）。
【請求項５】  前記広告の内容を繰り返す手段をさらに備えている、請求項１に記載のシステム（３０）。
【請求項６】  ２つ以上の広告を有する前記番組リスト表示領域（１４２）を提供する手段をさらに備えている、請求項１に記載のシステム（３０）。
【請求項７】  前記広告（１１２）が、番組をプロモートする選択可能な広告であり、前記システム（３０）が、該広告（１１２）が選択された場合に該番組を録画する手段をさらに備えている、請求項１に記載のシステム（３０）。
【請求項８】  前記広告（１１２）が、製品についての選択可能な広告であり、前記システム（３０）が、該広告（１１２）が選択された場合に該製品を注文する手段をさらに備えている、請求項１に記載のシステム（３０）。
【請求項９】  ユーザテレビ装置（４４）上に実装されたインタラクティブテレビ番組ガイドを用いる方法であって、
該インタラクティブテレビ番組ガイドを所与のチャンネル用の映像（１２４）を含む番組ガイド画面（７８）に提供するステップと、
単一のチャンネル用の単一の番組リスト（８４）および広告（８２）を含む番組リスト表示領域を該番組ガイド画面（７８）において提供するステップであって、該番組リスト表示領域は、ブラウズ表示およびフリップ表示のうちの１つである、ステップと、
該所与のチャンネル用の映像上に該番組リスト表示領域をオーバーレイするステップと、
強調表示（１０８）を提供するステップと、
該強調表示（１０８）を該番組リスト（１１０）から該広告（１１２）にナビゲートする能力をユーザに提供するステップと
を包含する、方法。
【請求項１０】  前記広告（８２）を提供するステップが、テキスト、グラフィックス、または映像を含む広告を提供するステップをさらに包含する、請求項９に記載の方法。
【請求項１１】  前記広告（８２）が映像を含み、
前記方法が、
テレビ番組を前記ユーザテレビ装置（４４）にテレビ配信設備（３８）で配信するステップと、
該テレビ配信設備（３８）内に設けられた映像サーバ（４２）を用いて該ユーザテレビ装置（４４）に映像を含む該広告を提供するステップと
をさらに包含する、請求項９に記載の方法。
【請求項１２】  前記広告（８２）を提供するステップが、選択可能な広告（１１２）を提供するステップをさらに包含する、請求項９に記載の方法。
【請求項１３】  前記広告の内容を繰り返すステップをさらに包含する、請求項９に記載の方法。
【請求項１４】  ２つ以上の広告を有する前記番組リスト表示領域（１４２）を提供するステップをさらに包含する、請求項９に記載の方法。
【請求項１５】  前記広告（１１２）が、番組をプロモートする選択可能な広告であり、前記方法が、該広告（１１２）が選択された場合に該番組を録画するステップをさらに包含する、請求項９に記載の方法。
【請求項１６】  前記広告（１１２）が製品についての選択可能な広告であり、前記方法が、該広告（１１２）が選択された場合に該製品を注文するステップをさらに包含する、請求項９に記載の方法。
【手続補正書】
【提出日】平成18年4月27日(2006.4.27)
【手続補正１】
【補正対象書類名】明細書
【補正対象項目名】特許請求の範囲
【補正方法】変更
【補正の内容】
【特許請求の範囲】
【請求項１】ケース（２）に直接的または間接的に付けられて、電磁放射を遮蔽し、および／または電流を排出するための装置であって、前記装置が幅および厚さが変化する所定の導電パス（１０、２９）により伸びる導電ユニット（１）であり、前記導電パスが前記ケースの所定の表面上に伸びてネットワークを形成し、前記導電パスのネットワークが電磁放射を遮蔽することにより特徴付けられる装置。
【請求項２】前記導電ユニット（１）が前記ケース（２）上にタンポン印刷および／またはスクリーン印刷されることにより特徴付けられる、請求項１記載の装置。
【請求項３】前記導電パス（１０、２９）が少なくとも１つのブリッジ（１９）上を走ることにより特徴付けられる、請求項１または２記載の装置。
【請求項４】前記導電パス（１０、２９）がファラデー・ケージであることにより特徴付けられる、請求項１〜３のいずれかに記載の装置。
【手続補正２】
【補正対象書類名】明細書
【補正対象項目名】０００６
【補正方法】変更
【補正の内容】
【０００６】
本発明のおかげで、上記の不利な点のない電気的に遮蔽し排出するユニットが提供された。本発明によれば、こうしてユニットはケース表面に沿って、一様でない幅、厚さ、長さ、分布の導電パスのネットワークを提示し、１つの「ファラデー・ケージ」を生成する。今日の方法によりケース表面全体に金属層を施す代わりに、本発明によればこれらの導電パスは、それらが最も効率的に電磁放射を遮蔽し電気を排出する所定の表面に沿って延長する。好ましい実施例において、パスを形成する導電パターンは、たとえば電話機ケ−ス面上で、曲面、穴、突出、窪み、鋭い隅などへの印刷を避けるような方法で、タンポン印刷される。ケースは、金属層が必要な位置にのみ、これらの導電パスを供給される。選択された位置でより良い伝導性を達成するために、より幅広で／またはより厚いパスを印刷できる。この仕方で、節約が可能な場所では大量の物質が節約される。さらに、アクセスできない領域への印刷から生じる困難は、そうした位置の脇にパスを走らせるのを許容することにより避けることができる。困難な領域へパスをプリントできるように、ブリッジがベースを供給できる。そうしたブリッジは、たとえば穴や突出において、ベースを供給すると共に、隅の半径を一様にする。さらにパスを他の適当な位置に配置して、下にある物質に対して接着を供給することができる。ケースのより大きな表面において、種々のネットワーク構造のパスをここに印刷して物質を節約することもできて、たとえば多数の円、正方形、楕円、偏菱形、三角形、八角形、六角形、環、たとえば穴などへ向かって終端する延長、または任意の形であり得る。層を適切に再形成することにより、たとえば下にあるベース表面への良好な接着とともに、良好な遮蔽を得ることができる。
【手続補正３】
【補正対象書類名】明細書
【補正対象項目名】００１０
【補正方法】変更
【補正の内容】
【００１０】
（実施例の詳細な説明）
図１から詳細に推測できるように、本発明による装置は導電ユニット１を含んでいて、導電ユニット１はケース２の内部に直接または間接に配置され、ケース２は電磁放射を遮蔽し、および／または電気を排出するようになっている。この好ましい実施例において、導電ユニット１はケース２の表面３上にタンポン印刷され、表面３のいくつかの領域は、たとえば隅４、突出５、取付け部６、開口７、窪み８、曲面９のように印刷が困難であるか、またはアクセス不可能である。本発明によれば、最小限の物質により導電ユニット１を製造でき、同時に、１つまたはそれ以上の導電パス１０により印刷不可能な面４〜９を避けることができるが、導電パス１０は適当な幅、分布、厚さ、形状を有し、それらが最も有用な位置で、目的の量と大きさまで、電磁放射に対する遮蔽および電流を排出するものとして作用する。この仕方で、最適な機能が非常に僅かな物質を必要とするのみで達成される。円および楕円１１、正方形および長方形１２、偏菱形１３、三角形１４、八角形ないし「多角形」１５、環１６、端部１７および他の任意の形状が相互結合されて、最適性能のために導電ユニット１を形成する。
【手続補正４】
【補正対象書類名】明細書
【補正対象項目名】００１１
【補正方法】変更
【補正の内容】
【００１１】
図２に示す実施例から見られるように、ケース２の表面１８は非常に印刷しにくいが、印刷ベース２０を生成するためのブリッジ１９が供給されていて、困難な表面１８を印刷しやすくしている。適当な位置でブリッジ１９上にパス２９を走らせることにより、適切な機能が得られる。この方法で、図１のアクセス不可能な表面４〜９へ印刷することを回避できる。導電パスは異なった形状、延長、幅、厚さであり得る。開口２１は遮蔽され排出される必要がある。これは端部３０により達成される。取付け部２２の周りに適当な環２５を作り得る。突起２３は円２６により取り巻かれている。パス２９の種々の幅２４、３１もまた、最適な機能を得るために必要であり、種々の厚さ２７、２８も同様である。種々の厚さは、何回か重ね刷りすることにより達成されるか、またはより厚い物質の層を印刷することにより達成される。
【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】  少なくとも一つの内部導体、
一つのチョーク導体であって、当該チョーク導体は、当該内部導体の回りを螺旋状に巻きついており、当該チョーク導体は当該内部導体には直接的には接触しておらず、当該チョーク導体は、稲妻が、ケーブル近傍に落ちた場合、当該稲妻によって発生した電流に対して高インピーダンスを呈するチョーク導体、及び
螺旋状のシールドであって、当該螺旋状のシールドは、内部導体の回りに、当該内部導体に対して当該チョーク導体が巻きついている方向とは反対方向に、螺旋状に巻かれており、且つ当該チョーク導体と当該螺旋状のシールドとはそれぞれ第１と第２の端部を有するものであり、更に当該チョーク導体の第１の端部は当該螺旋状のシールドの第１の端部と接続されており且つ当該チョーク導体の第２の端部は当該螺旋状のシールドの第２の端部と接続されている螺旋状のシールドとから構成されている稲妻防止用ケーブルであって、当該ケーブルに於いて、稲妻がケーブル近傍に落ちた事によって発生する電流が、当該チョーク導体及び当該螺旋状のシールドを介して流れる際に当該チョーク導体と当該螺旋状のシールドによって形成される磁界が実質的に相殺され、それによって落雷による損傷の影響が低減されるものである事を特徴とする稲妻防止用ケーブル。
【請求項２】  当該内部導体は、信号導体又は電力導体である事を特徴とする請求項第１項記載のケーブル。
【請求項３】  更に、当該内部導体と当該チョーク導体との間に配置されている電気絶縁層を含んでいる事を特徴とする請求項第１項記載のケーブル。
【請求項４】  当該内部導体は信号導体であり、同心状のケーブル状シールドは、当該信号導体を取り囲んでおり、それによって、当該ケーブルは同心状ケーブルである事を特徴とする請求項第１項記載のケーブル。
【請求項５】  当該螺旋状のシールドは、平坦な導体の形状であり、当該平坦な導体の少なくとも一方の側面には、電気絶縁体が貼着せしめられている事を特徴とする請求項第１項記載のケーブル。
【請求項６】  更に当該チョーク導体と当該螺旋状のシールドとの間に設けられた電気絶縁体を含んでいる事を特徴とする請求項第５項記載のケーブル。
【請求項７】  当該チョーク導体を取り囲んでいる当該絶縁層は導電性材料を含んでおり、それによって、当該絶縁層は半導体となっている事を特徴とする請求項第１項記載のケーブル。
【請求項８】  更に、接地導体を含んでいる事を特徴とする請求項第７項記載のケーブル。
【請求項９】  更に、接地導体を含んでおり、且つ当該接地導体は、当該外部ジャケットに接続されている事を特徴とする請求項第８項記載のケーブル。
【請求項１０】  当該チョーク導体と当該シールドとの間の螺旋角度は、インダクタンスを最大とする様に調整する事が可能である事を特徴とする請求項第７項記載のケーブル。
【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】  装置を含む通信ネットワーク内で、オブジェクトのカタログの分散された管理のための方法であって、
装置のレベルで管理されるローカルレジストリ内の装置内に存在するローカルオブジェクトを登録するステップと、
−ローカルオブジェクトを管理する装置の単一のローカルレジストリに送信された、オブジェクトのリストに関する要求を、ローカルオブジェクトによって、定式化するステップと、
−ローカルレジストリを通して、遠隔のレジストリへ、要求を伝達するステップと、
−遠隔レジストリによる要求への応答と、ローカルレジストリの応答を収集するステップと、
−初期要求を定式化したローカルオブジェクトへ収集された応答を伝送するステップとを更に有することを特徴とする方法。
【請求項２】  ローカルレジストリは、オブジェクトの属性だけでなく、そこに登録された各オブジェクトに対して、ネットワーク内のこのオブジェクトのネットワークに関して唯一である識別子を有することを特徴とする請求項１記載の方法。
【請求項３】  識別子は、オブジェクトがその中に存在する装置の識別子を有し、この装置識別子は、装置のレベルでこのオブジェクトに唯一なローカル識別子であり且つ、ネットワーク内で唯一であることを特徴とする請求項２記載の方法。
【請求項４】  オブジェクトにより定式化された形式の要求は、オブジェクトの属性に関係する少なくとも１つの選択基準を含む要求であることを特徴とする請求項２記載の方法。
【請求項５】  オブジェクトの機能はオブジェクトに関するローカルレジストリにより蓄積された属性であることを特徴とする請求項４記載の方法。
【請求項６】  要求を伝達するステップは、自分自身がレジストリを含むネットワークに接続された装置を決定するステップを含むことを特徴とする請求項1記載の方法。
【請求項７】  装置を決定するステップは、ネットワーク内に存在する装置の形式を決定することを含み、装置の形式はレジストリを管理しているか又はしないかを示す請求項６記載の方法。
【請求項８】  オブジェクトにより定式化された形式の要求は、リストを処理するための少なくとも1つの演算子と、少なくとも２つのオブジェクトのリストに対する選択基準を含む要求であることを特徴とする請求項1記載の方法。
【請求項９】  通信ネットワーク内の装置であって、
ローカルオブジェクトを蓄積する手段と、
装置に対してローカルであるオブジェクトのカタログを含むためのローカルレジストリを蓄積する手段と、
装置をネットワークへ接続する手段と、
−ローカルオブジェクトによって定式化されたオブジェクトのリストに関する要求を、他の装置のローカルレジストリへ伝達する手段と、
−他の装置のレジストリの応答とローカルレジストリの応答を収集し、且つ、要求を定式化したオブジェクトへ応答を伝送する手段とを有することを特徴とする装置。
【請求項１０】  いわゆる遠隔レジストリを含むネットワークの装置のアドレスを決定する手段を更に有することを特徴とする請求項９記載の装置。
【手続補正書】
【提出日】平成18年3月31日(2006.3.31)
【手続補正１】
【補正対象書類名】明細書
【補正対象項目名】特許請求の範囲
【補正方法】変更
【補正の内容】
【特許請求の範囲】
【請求項１】  物体の累積熱曝露の視覚的に確認できる表示を提供するための、時間温度積算インジケータ装置であって、
（ａ）拡散的に光を反射する多孔性マトリックスを有する基材と、
（ｂ）前記基材と接触させるための粘弾性インジケータ材料、および前記基材と裏材との間で粘弾性インジケータ材料が横に流れるのを実質的に阻止するためのバリヤー材料を表面上に含む裏材
とを含み、
前記粘弾性インジケータ材料が前記多孔性マトリックスと実質的に接触していない不活性化状態と、温度が上昇するにつれて高くなる速度で前記粘弾性インジケータ材料が前記多孔性マトリックス内に移行し、それによって累積熱曝露を視覚的に確認できる表示を形成するように、前記粘弾性インジケータ材料が前記多孔性マトリックスと実質的に接触している活性化状態とを有する、
装置。
【請求項２】  前記バリヤー材料が感圧接着剤を含む、請求項１に記載の装置。
【請求項３】  前記裏材が、その表面上に、粘弾性インジケータ材料と感圧接着剤とが交互に並ぶストライプを含む、請求項２に記載の装置。
【請求項４】  前記裏材が、その表面上に、粘弾性インジケータ材料の中央ストライプと、中央ストライプの両側の、感圧接着剤の縁ストライプとを含む、請求項２に記載の装置。
【手続補正書】
【提出日】平成18年4月26日(2006.4.26)
【手続補正１】
【補正対象書類名】明細書
【補正対象項目名】特許請求の範囲
【補正方法】変更
【補正の内容】
【特許請求の範囲】
【請求項１】  超小型電子装置の製造において、基板ホルダの超小型電子装置基板から物質を除去するための平坦化プロセスの動作をモニタする方法であって、
前記基板ホルダの前記基板が平坦化材と係合しているとき、前記基板ホルダの裏側と平坦化サイクルの１ステージにおける既知の高さの間の第１の実距離を測定することによって、前記基板ホルダの裏側の高さを検出するステップと、
検出した前記基板ホルダの高さに基づいて、前記平坦化プロセスの動作が許容範囲内であるかを評価するステップと、を備えている、
ことを特徴とする性能モニタ方法。
【手続補正書】
【提出日】平成18年3月24日(2006.3.24)
【手続補正１】
【補正対象書類名】特許請求の範囲
【補正対象項目名】請求項１
【補正方法】変更
【補正の内容】
【請求項１】
壁が他の領域よりもより曲げ易く、細長い比較的曲げ易い領域（２−９）を少なくとも３つ有する管状壁を含む折り畳みチューブ（１）であり、該領域が該チューブ（１）の長さの少なくともほとんどの部分に沿って互いに実質的に平行である方向に向いており、使用時に該領域がヒンジを形成し、そのヒンジが、チューブが収縮した形になるように内側に折り畳むことができ、かつ折り畳みを開いてチューブを実質的に円筒又は楕円形にすることができる壁部を決定し、該チューブ（１）が実質的に円筒又は楕円形の管状キャビティー（２７）内でライニングを提供するライナーチューブであり、開いたチューブのヒンジが、使用においてキャビティー（２７）の壁の近傍に位置し、ヒンジ間の壁部が開いたライナーチューブが再び折り畳まれることを防ぐことを特徴とする該チューブ（１）。
【手続補正２】
【補正対象書類名】特許請求の範囲
【補正対象項目名】請求項２
【補正方法】変更
【補正の内容】
【請求項２】
前記比較的曲げ易い領域がチューブ（１）の壁内のトラフ形状の溝（２−９）により形成され、該溝がチューブ（１）の縦軸に対して平行か又は螺旋方向に向いている請求項１に記載の折り畳みチューブ。
【手続補正３】
【補正対象書類名】特許請求の範囲
【補正対象項目名】請求項４
【補正方法】変更
【補正の内容】
【請求項４】
２組の４つの溝（２−５、６−９）がチューブ（１）の両側に対称に配置され、チューブ（１）が収縮した形状に折り畳まれた場合に、チューブの両側に三角形又はＵ形の窪み（１２、１３）を形成する請求項３に記載の折り畳みチューブ。
【手続補正４】
【補正対象書類名】特許請求の範囲
【補正対象項目名】請求項１２
【補正方法】変更
【補正の内容】
【請求項１２】
チューブ（１）が少なくとも１組の請求項４に記載の４つの溝（２−５、６−９）を含み、該溝はチューブがキャビティーに挿入される際に三角形又はＵ形の窪み（１２、１３）を決定し、チューブがキャビティーに挿入される際に、該窪み内には封止剤を含む環状コンテナが配置され、該コンテナはチューブが開く結果として圧迫されて壊れてキャビティー内で開き、封止剤は開いたチューブとキャビティーの壁の間の環状の空所に放出され、これにより封止剤が開いたチューブとキャビティーの壁の間で環状封止を作成できるようにする請求項１１に記載の方法。
【手続補正書】
【提出日】平成18年1月18日(2006.1.18)
【手続補正１】
【補正対象書類名】明細書
【補正対象項目名】特許請求の範囲
【補正方法】変更
【補正の内容】
【特許請求の範囲】
【請求項１】  タンパー表示物品であって、
（ａ）感圧接着剤のフィルムまたは感圧接着剤塗布テープであって、該フィルムまたは該テープを伸ばすことによって、凝集破壊を呈することなく、基材表面から取り除くことができる感圧接着剤フィルムまたは感圧接着剤塗布テープと、
（ｂ）前記基材表面から前記物品を取り除くように試みたときに、凝集破壊を呈する少なくとも１つの損傷可能な層と、
を具備し、前記基材表面から前記物品を取り除こうとする試みによって、前記構成要素（ａ）が前記基材表面に結合したままで前記構成要素（ａ）と（ｂ）とが分離される、タンパー表示物品。
【手続補正書】
【提出日】平成18年4月21日(2006.4.21)
【手続補正１】
【補正対象書類名】明細書
【補正対象項目名】特許請求の範囲
【補正方法】変更
【補正の内容】
【特許請求の範囲】
【請求項１】  予め定めた複素値化されたスペクトラル伝達関数を入射光波に適用して出射方向に伝搬するフィルタリングされた光波を発生する装置であって、当該装置が、空間的に個別に構成された複数のサブ格子を具え、各サブ格子が回折素子の周期的なアレイを含む装置。
【請求項２】  特定の複素値化されたスペクトラルフィルタリング関数を入射光波に適用し、入射光波から出射方向に伝搬するフィルタリングされた光波を発生し、フィルタリングされた出射光波が基準光波と基本的に整合する時間構造を有する光学装置であって、当該装置が、セグメント化された回折格子を構成するように結合されている複数のサブ格子を具え、前記セグメント化された回折格子が前記基準光波に基づいて予め定めたスペクトラル伝達関数を有する光学装置。
【請求項３】  特定の複素値化されたスペクトラルフィルタリング関数を入射光波に適用し、出射方向に伝搬するフィルタリングされた光波を発生し、フィルタリングされた出射光波が基準光波を有する入射光波のクロス相関と整合する時間構造を有する光学装置であって、当該装置が、前記基準光波により決定される伝達関数を有するセグメント化された回折格子を構成するように結合されている複数のサブ格子を具える光学装置。
【請求項４】  １組の基準光波に基づいて複数の光信号を多重化し及び多重分離し、各基準光波が一連の時間スライスを有する光通信システムであって、当該システムが、少なくとも１個の第１セグメント化された回折格子を含む複合回折格子を具え、前記第１のセグメント化された回折格子が、予め定めた基準光波に整合するように選択したサブ格子パラメータＡi , φi , ｘi , Λi により決定されるスペクトラル伝達関数を有し、前記複合回折格子が、各光データ流を作動入射方向に沿う特定のセグメント化された回折格子に入射させることにより複数の光データを多重化して、第１のセグメント化された回折格子において符号化された基準光波に基づき符号化された出射ビームを発生させ、
当該システムが、ＯＣＤＭＡチャネルをセグメント化された回折格子の入射方向に沿って向かせて時間符号多重化した光データ流を特定の時間符号の出射方向に出射させることにより、ＯＣＤＭＡチャネルからの時間符号多重化された光データ流を多重分離する多重分離器を具える光通信システム。
【請求項５】  選択された複素値化されたスペクトラルフィルタリング関数を入射光波に適用する方法であって、
入射光波を、空間的に個別に構成されている複数のサブ格子を具える回折格子構造体に入射させ、
前記サブ格子を、前記選択した複素値化されたスペクトラルフィルタリング関数に対応するセグメント化された回折格子を形成するように選択し結合する方法。
【請求項６】  入射光波に予め定めた時間波形を適用する方法であって、入射光波を、空間的に個別に形成された複数のサブ格子具える複合回折格子に入射させ、各サブ格子が、回折素子の周期的なアレイを含み、前記サブ格子が、予め定めた時間波形を発生するように編成されたセグメント化された回折格子を形成するように組み合されている方法。
【請求項７】  予め定めた複素値化されたスペクトラルフィルタリング関数を入射光波に適用し、入射光波を、空間的に個別に構成されている複数のサブ格子を具える回折格子構造体に入射させ、各サブ格子が回折素子の周期的なアレイを含み、前記サブ格子が、基準光波のフーリェスペクトラルの複素共役に対応する伝達関数を発生するように組み合わされ、前記基準光波及び入射光波のクロス相関により決定される時間構造を有する出射光波が予め定めた方向に発生する方法。
【手続補正書】
【提出日】平成17年9月22日(2005.9.22)
【手続補正１】
【補正対象書類名】明細書
【補正対象項目名】特許請求の範囲
【補正方法】変更
【補正の内容】
【特許請求の範囲】
【請求項１】  ミラー面と、
微小構造素子を片側に有する微小構造を備えたポリマー層と、
前記微小構造を備えたポリマー層の前記微小構造素子の側に隣接していて、前記微小構造素子に埋め込まれかつ実質的に平坦な表面を構成しているフィラ層と、
を具備した光構成要素であって、
前記フィラ層の屈折率は、前記微小構造を備えたポリマー層の屈折率と相違していて、前記ミラー面で反射された周囲光は、前記光構成要素のグレア光線のピーク角度とは異なるピーク角度で出射される、光構成要素。
【請求項２】  前記フィラ層が拡散材料を含む、請求項１に記載の光構成要素。
【請求項３】  前記拡散材料が接着材料を含む、請求項２に記載の光構成要素。
【請求項４】  前記微小構造素子が空間的に変化するピッチを有する、請求項１に記載の光構成要素。
【手続補正書】
【提出日】平成18年3月28日(2006.3.28)
【手続補正１】
【補正対象書類名】特許請求の範囲
【補正対象項目名】請求項２
【補正方法】変更
【補正の内容】
【請求項２】
請求項１に記載の方法であって、前記ファージディスプレイライブラリーが抗体ファージディスプレイライブラリーである、方法。
【手続補正２】
【補正対象書類名】特許請求の範囲
【補正対象項目名】請求項４
【補正方法】変更
【補正の内容】
【請求項４】
請求項１に記載の方法であって、前記同定する工程が、以下：
インターナライズされたファージを回収する工程、および
前記（ｉ）から（ｖ）までの工程を反復して、インターナライズする結合部分についてさらに選択する工程、
を包含する、
方法。
【手続補正３】
【補正対象書類名】特許請求の範囲
【補正対象項目名】請求項５
【補正方法】変更
【補正の内容】
【請求項５】
請求項４に記載の方法であって、前記回収する工程が、以下：
（ａ）前記標的細胞を溶解して前記インターナライズされたファージを放出させる工程；および
（ｂ）細菌宿主に、該インターナライズされたファージを感染させて、選択の次の回のためのファージを産生する工程、
を包含する、方法。
【手続補正４】
【補正対象書類名】特許請求の範囲
【補正対象項目名】請求項１８
【補正方法】変更
【補正の内容】
【請求項１８】
インターナライズするレセプターを同定する方法であって、該方法は以下の工程：
ｉ）１以上の該標的細胞を、ファージディスプレイライブラリーの１以上のメンバーと接触させる工程；
ｉｉ）該ファージディスプレイライブラリーのメンバーを、サブトラクティブ細胞株の細胞と接触させる工程；
ｉｉｉ）該標的細胞を洗浄して、該サブトラクティブ細胞株の細胞を除去し、そして、該標的細胞に非特異的に結合しているか、または弱く結合している該ファージディスプレイライブラリーのメンバーを除去する工程；
ｉｖ）該ファージディスプレイライブラリーのメンバーが、インターナライズするマーカーに結合したときにインターナライズされ得る条件下で、該細胞を培養する工程；
ｖ）該ファージディスプレイライブラリーのメンバーが１以上の該標的細胞にインターナライズされる場合、該ファージディスプレイライブラリーのインターナライズされるメンバーを同定する工程；
ｖｉ）同一の標的細胞または異なる標的細胞を、該工程（ｖ）の該同定されたインターナライズされるメンバー、またはそれから増殖されたメンバーと接触させ、それによって、該メンバーが該同一の標的細胞または異なる標的細胞の表面に結合する工程、
を包含する、方法。
【手続補正５】
【補正対象書類名】特許請求の範囲
【補正対象項目名】請求項３０
【補正方法】変更
【補正の内容】
【請求項３０】
多価抗体ファージディスプレイライブラリーであって、
該ライブラリーは、複数のファージを含み、ここで、 
該ファージが、平均して、少なくとも２コピーの単鎖抗体を提示し、そして該ライブラリーが複数種の単鎖抗体を含む、
ライブラリー。
【手続補正６】
【補正対象書類名】特許請求の範囲
【補正対象項目名】請求項３１
【補正方法】変更
【補正の内容】
【請求項３１】
請求項３０に記載のライブラリーであって、前記ファージは、平均して、少なくとも４コピーの単鎖抗体を提示する、ライブラリー。
【手続補正書】
【提出日】平成18年4月13日(2006.4.13)
【手続補正１】
【補正対象書類名】明細書
【補正対象項目名】特許請求の範囲
【補正方法】変更
【補正の内容】
【特許請求の範囲】
【請求項１】
リーンバーンエンジン排ガス中の窒素酸化物（ＮＯｘ）の含有量を低減させる装置であって、
（ａ）排ガスが排気装置の中を通って流れることができる該排気装置と、
（ｂ）前記排気装置中に配置された、選択的接触還元触媒と、
該選択的接触還元触媒が、エンジンサイクル中に、アンモニアによりＮＯｘを窒素に還元する触媒作用をし、かつ、アンモニアを吸着および脱着するものであり、
（ｃ）アンモニア源と、
（ｄ）前記アンモニア源から前記触媒にアンモニアを供給する手段と、そして
（ｅ）使用中に、エンジンサイクル中に、アンモニアの供給を調整するスイッチ手段とを備えてなり、
該スイッチ手段が、前記触媒の温度が第１の予め設定された温度より上昇し、アンモニアが前記触媒に吸着される時に、アンモニアの供給をＯＮとし、及び、前記触媒の温度が第２の予め設定された温度より低下した時に、アンモニアの供給をＯＦＦとするものであり、
第１の予め設定された温度が第２の予め設定された温度と異なるものであり、それによって、前記触媒が第１の予め設定された温度より低下した時に、吸着されたアンモニアがＮＯｘと反応することが可能となるものである、装置。
【請求項２】
第１の予め設定された温度が２５０℃以上４００℃以下の範囲内であり、第２の予め設定された温度が２００℃以上２５０℃未満の範囲内にある、請求項１に記載の装置。
【請求項３】
前記触媒がゼオライトを含んでなる、請求項１又は２に記載の装置。
【請求項４】
前記ゼオライトがＺＳＭ５である、請求項３に記載の装置。
【請求項５】
前記ゼオライトが金属被覆されていないものである、請求項３に記載の装置。
【請求項６】
前記ゼオライトが金属を含んでなる、請求項３に記載の装置。
【請求項７】
前記金属が、Ｃｕ（銅）、Ｆｅ（鉄）、Ｃｅ（セリウム）及びＰｔ（白金）からなる群から選択されてなる、請求項６に記載の装置。
【請求項８】
前記触媒がＣｕ／ＺＳＭ５である、請求項６に記載の装置。
【請求項９】
リーンバーンエンジン排ガス中の窒素酸化物（ＮＯｘ）の含有量を低減させる方法であって、 
選択的接触還元（ＳＣＲ）触媒に排ガスを通過させ、
該ＳＣＲ触媒が、エンジンサイクル中に、アンモニアによりＮＯｘを窒素に還元する触媒作用をし、かつ、アンモニアを吸着および脱着するものであり、
前記ＳＣＲ触媒の温度が第１の予め設定された温度より上昇した時に、エンジンサイクル中に、前記ＳＣＲ触媒にアンモニアを吸着し、
前記ＳＣＲ触媒の温度が第２の予め設定された温度より低下した時に、前記ＳＣＲ触媒にアンモニア供給を休止することを含んでなり、
第１の予め設定された温度が第２の予め設定された温度と異なるものであり、それによって、前記ＳＣＲ触媒が第１の予め設定された温度より低下した時に、吸着されたアンモニアがＮＯｘと反応することが可能となるものである、方法。
【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】  ケーシングにおける分割した軸受装置、特に往復ピストン式機械のクランク軸・滑り軸受にして、
異なる硬さの材料からなる軸受ブロック（４）と軸受カバー（５）とを備え、
軸受ブロック（４）に対し取付可能に配置されかつ鉄材料より形成された軸受カバー（５）が、その取付面（７）上に突出して構成されかつ縁が角ばって先の尖った突部（６）を有し、これらの突部が、軸受カバー（５）の最初の組込みに際し、力を用いて、軽金属より形成される軸受ブロック（４）の対向取付面（１０）内に押し込まれ、そして
軸受カバー（５）の取付面（７）に溝（８）が設けられている軸受装置において、
刃プロフィールまたはピラミッドプロフィールを有する突部（６）を具備する軸受カバー（５）が構成され、
突部（６）が約５０°〜１１０°の刃角度αを有し、さらに
軸受カバー（５）の取付面（７）上の刃の高さ「Ｈ」が０、２５〜１、５ｍｍの間の値であり、
Ｒ＝０、１５〜０、３０ｍｍの半径でもって丸められた溝（８）がそれぞれの半径寸法「Ｒ」にて取付面（７）内にくぼませられて刃側面（６’、６”）に接続し、そして
溝（８）が、軸受ブロック（４）に突部（６）を押し込むとき排除される軸受ブロック（４）の材料の受容の用をなすことを特徴とする軸受装置。
【請求項２】  軸受カバー（５）における突部（６）が直線状刃として２〜５ｍｍの間の間隔「Ａ」に選択されることを特徴とする、請求項１に記載の軸受装置。
【請求項３】  軸受カバー（５）における突部（６）が円弧状刃として形成されていることを特徴とする、請求項１に記載の軸受装置。
【請求項４】  ねずみ鋳鉄より形成された軸受カバー（５）が、突部（６）を、アルミ合金より形成される軸受ブロック（４）の対向取付面（１０）内に押し込むとき、摺動嵌め合せ（１１）により軸受ブロック（４）に対し装着されることを特徴とする、請求項１ないし３の１つに記載の軸受装置。
【請求項５】  軸受カバー（５）が、その突部（６）でもって、軸受ねじ継ぎ手および（または）プレス装置を用いて軸受ブロック（４）内に押し込まれることを特徴とする、請求項１ないし４の１つに記載の軸受装置。
【請求項６】  軸受ブロック（４）の対向取付面（１０）にて軸受カバー（５）の押し込むべき突部（６）の範囲に平たいかつ丸められた溝（９）が配置されていることを特徴とする、請求項１に記載の軸受装置。
【請求項７】  焼結材料より形成されかつねじ・貫通孔を具備する軸受カバー（５）が、貫通孔に対し同心に配置された円弧状突部を有することを特徴とする、請求項１に記載の軸受装置。
【請求項８】  軸受カバー（５）における突部（６）が切削によりまたは腐食により形成されることを特徴とする、請求項１ないし６の１つに記載の軸受装置。
【請求項９】  Ｖ型原動機の機械ケーシング（２）に適用することを特徴とする、請求項１ないし８の１つに記載の軸受装置。
【手続補正書】
【提出日】平成18年10月20日(2006.10.20)
【手続補正１】
【補正対象書類名】特許請求の範囲
【補正対象項目名】請求項１０
【補正方法】変更
【補正の内容】
【請求項１０】
Ｖが水素であり、Ｗ及びＹが、互いに独立に、式
【化３３】
2006510732.tif 000001
の基であり、Ｘが式
【化３４】
2006510732.tif 000002
の基である〔式中、Ｒ11、Ｒ12、Ｒ13、Ｒ14、Ｒ15、Ｒ16及びＲ17は、互いに独立に、Ｈ、Ｃ6〜Ｃ18アリール、Ｅで置換されたＣ6〜Ｃ18アリール、Ｅ、Ｃ1〜Ｃ18アルキル、Ｅで置換された及び／又はＤで中断されたＣ1〜Ｃ18アルキルであり、Ｒ18及びＲ19は、互いに独立に、Ｈ、Ｃ1〜Ｃ18アルキル、Ｅで置換された及び／又はＤで中断されたＣ1〜Ｃ18アルキル、Ｃ6〜Ｃ18アリール、Ｅで置換されたＣ6〜Ｃ18アリール（Ｄは、−ＣＯ−、−ＣＯＯ−、−ＯＣＯＯ−、−Ｓ−、−ＳＯ−、−ＳＯ2−、−Ｏ−、−ＮＲ5−、−ＳｉＲ5Ｒ6−、−ＰＯＲ5−、−ＣＲ5＝ＣＲ6−又は−Ｃ≡Ｃ−であり、Ｅは、−ＯＲ5、−ＳＲ5、−ＮＲ5Ｒ6、−ＣＯＲ8、−ＣＯＯＲ7、−ＣＯＮＲ5Ｒ6、−ＣＮ、−ＯＣＯＯＲ7又はハロゲンであり、Ｒ5、Ｒ6、Ｒ7及びＲ8 は請求項２定義の通りである）である〕式Ｉのピリミジン化合物を含む、請求項２記載のエレクトロルミネセントデバイス。
【手続補正２】
【補正対象書類名】明細書
【補正対象項目名】０１２８
【補正方法】変更
【補正の内容】
【０１２８】
であり、
Ｗ11〜Ｗ15、Ｗ21〜Ｗ25、Ｗ31〜Ｗ35、Ｗ41〜Ｗ45、Ｙ11〜Ｙ15、Ｙ21〜Ｙ25、Ｙ31〜Ｙ35及びＹ41〜Ｙ45は、互いに独立に、Ｈ、Ｃ6〜Ｃ24アリール、Ｇで置換されたＣ6〜Ｃ24アリール、Ｃ1〜Ｃ18アルキル、Ｅで置換された及び／又はＤで中断されたＣ1〜Ｃ18アルキル、Ｃ7〜Ｃ18アルキルアリール、Ｅで置換された及び／又はＤで中断されたＣ7〜Ｃ18アルキルアリール、Ｃ2〜Ｃ18アルケニル、Ｅで置換された及び／又はＤで中断されたＣ2〜Ｃ18アルケニル、Ｃ2〜Ｃ18アルキニル、Ｅで置換された及び／又はＤで中断されたＣ2〜Ｃ18アルキニル、Ｃ1〜Ｃ18アルコキシ、Ｅで置換された及び／又はＤで中断されたＣ1〜Ｃ18アルコキシ、−ＳＲ5、−ＮＲ5Ｒ6、Ｃ2〜Ｃ24ヘテロアリール、Ｌで置換されたＣ2〜Ｃ24ヘテロアリール、−ＳＯＲ4、−ＳＯ2Ｒ4、−ＣＯＲ8、−ＣＯＯＲ7、−ＣＯＮＲ5Ｒ6、Ｃ4〜Ｃ18シクロアルキル、Ｅで置換された及び／又はＤで中断されたＣ4〜Ｃ18シクロアルキル、Ｃ4〜Ｃ18シクロアルケニル、Ｅで置換された及び／又はＤで中断されたＣ4〜Ｃ18シクロアルケニルであり、
Ｖは、Ｈ、Ｃ6〜Ｃ24アリール、Ｇで置換されたＣ6〜Ｃ24アリール、Ｃ1〜Ｃ18アルキル、Ｅで置換された及び／又はＤで中断されたＣ1〜Ｃ18アルキル、Ｃ7〜Ｃ18アルキルアリール、Ｅで置換された及び／又はＤで中断されたＣ7〜Ｃ18アルキルアリール、Ｃ2〜Ｃ18アルケニル、Ｅで置換された及び／又はＤで中断されたＣ2〜Ｃ18アルケニル、Ｃ2〜Ｃ18アルキニル、Ｅで置換された及び／又はＤで中断されたＣ2〜Ｃ18アルキニル、Ｃ1〜Ｃ18アルコキシ、Ｅで置換された及び／又はＤで中断されたＣ1〜Ｃ18アルコキシ、−ＳＲ5又は−ＮＲ5Ｒ6、Ｃ2〜Ｃ24ヘテロアリール、Ｌで置換されたＣ2〜Ｃ24ヘテロアリール、−ＳＯＲ4、−ＳＯ2Ｒ4、−ＣＯＲ8、−ＣＯＯＲ7、−ＣＯＮＲ5Ｒ6、Ｃ4〜Ｃ18シクロアルキル、Ｅで置換された及び／又はＤで中断されたＣ4〜Ｃ18シクロアルキル、Ｃ4〜Ｃ18シクロアルケニル、Ｅで置換された及び／又はＤで中断されたＣ4〜Ｃ18シクロアルケニルであり、
Ａ18及びＡ19は、互いに独立に、Ｈ、Ｃ1〜Ｃ18アルキル、Ｅで置換された及び／又はＤで中断されたＣ1〜Ｃ18アルキル、Ｃ6〜Ｃ18アリール、Ｅで置換されたＣ6〜Ｃ18アリールであり、
Ｂ11〜Ｂ14及びＢ21〜Ｂ24は、互いに独立に、Ｈ、Ｃ6〜Ｃ18アリール、Ｇで置換されたＣ6〜Ｃ18アリール、Ｃ1〜Ｃ18アルキル、Ｅで置換された及び／又はＤで中断されたＣ1〜Ｃ18アルキル、Ｃ7〜Ｃ18アルキルアリール、Ｅで置換された及び／又はＤで中断されたＣ7〜Ｃ18アルキルアリール、Ｃ2〜Ｃ18アルケニル、Ｅで置換された及び／又はＤで中断されたＣ2〜Ｃ18アルケニル、Ｃ2〜Ｃ18アルキニル、Ｅで置換された及び／又はＤで中断されたＣ2〜Ｃ18アルキニル、Ｃ1〜Ｃ18アルコキシ、Ｅで置換された及び／又はＤで中断されたＣ1〜Ｃ18アルコキシ、−ＳＲ5、−ＮＲ5Ｒ6、Ｃ2〜Ｃ18ヘテロアリール、Ｌで置換されたＣ2〜Ｃ18ヘテロアリール、−ＳＯＲ4、−ＳＯ2Ｒ4、−ＣＯＲ8、−ＣＯＯＲ7又は−ＣＯＮＲ5Ｒ6、Ｃ4〜Ｃ18シクロアルキル、Ｅで置換された及び／又はＤで中断されたＣ4〜Ｃ18シクロアルキル、Ｃ4〜Ｃ18シクロアルケニル、Ｅで置換された及び／又はＤで中断されたＣ4〜Ｃ18シクロアルケニルである（式中、Ｄ、Ｅ、Ｇ、Ｌ、Ｒ4、Ｒ5、Ｒ6、Ｒ7及びＲ8は上記定義の通りである）〕のピリミジン化合物に向けたものである。
【手続補正３】
【補正対象書類名】明細書
【補正対象項目名】０１７３
【補正方法】変更
【補正の内容】
【０１７３】
用語「ヘテロアリール基」、特にＣ2〜Ｃ30ヘテロアリールは、窒素、酸素又は硫黄を可能なヘテロ原子とする環であり、通常、少なくとも６個の共役π-電子を有する原子数５〜１８の不飽和複素環基、たとえばチエニル、ベンゾ［ｂ］チエニル、ジベンゾ［ｂ，ｄ］チエニル、チアントレニル、フリル、フルフリル、２Ｈ−ピラニル、ベンゾフラニル、イソベンゾフラニル、２Ｈ−クロメニル、キサンテニル、ジベンゾフラニル、フェノキシチエニル、ピロリル、イミダゾリル、ピラゾリル、ピリジル、ビピリジル、トリアジニル、ピリミジニル、ピラジニル、１Ｈ−ピロリジニル、イソインドリル、ピリダジニル、インドリジニル、イソインドリル、インドリル、３Ｈ−インドリル、フタラジニル、ナフチリジニル、キノキサリニル、キナゾリニル、シンノリニル、インダゾリル、プリニル、キノリジニル、キノリル、イソキノリル、フタラジニル、キノキサリニル、シンノリニル、プテリジニル、カルバゾリル、４ａＨ−カルバゾリル、カルボリニル、ベンゾトリアゾリル、ベンゾオキサゾリル、フェナントリジニル、アクリジニル、ペリミジニル、フェナントロリニル、フェナジニル、イソチアゾリル、フェノチアジニル、イソオキサゾリル、フラザニル又はフェノキサジニル、好ましくは、非置換でも置換されていてもよい上述した単環又は二環式の複素環基である。
【手続補正４】
【補正対象書類名】明細書
【補正対象項目名】０２１５
【補正方法】変更
【補正の内容】
【０２１５】
化合物Ａ−４〜Ａ−５４は実施例１〜３と同様な方法で得ることができた。
【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
親水性胆汁酸、その塩、その類似物及びその組み合わせた物から成る群から選択される化合物を含む、出血と関連した神経系障害を有する患者を治療するための医薬組成物。
【請求項２】
患者がヒト患者である請求項１記載の組成物。
【請求項３】
組成物が医薬的に受け入れ可能な担体との組み合わせである請求項１記載の組成物。
【請求項４】
組成物が非経口投与に適合した形である請求項１記載の組成物。
【請求項５】
組成物が経口投与に適合した形である請求項１記載の組成物。
【請求項６】
出血と関連した神経系障害が、出血性発作、頭部の外傷性傷害、脊髄傷害、又は抹消神経障害を含む請求項１記載の組成物。
【請求項７】
出血と関連した神経系障害が出血性発作を含む請求項１記載の組成物。
【請求項８】
ウルソデオキシコール酸、その塩、その類似物、およびそれを組み合わせた物から成る群から選択される化合物を含む、出血と関連した神経系障害を有する患者を治療するための医薬組成物。
【請求項９】
患者がヒト患者である請求項８記載の組成物。
【請求項１０】
組成物が医薬的に受け入れ可能な担体との組み合わせである請求項８記載の組成物。
【請求項１１】
組成物が非経口投与に適合した形である請求項８記載の組成物。
【請求項１２】
組成物が経口投与に適合した形である請求項８記載の組成物。
【請求項１３】
出血に関連した神経系障害が、出血性発作、頭部の外傷性傷害、脊髄障害、又は抹消神経障害を含む請求項８記載の組成物。
【請求項１４】
出血に関連した神経系障害が、出血性発作を含む請求項８記載の組成物。
【請求項１５】
ウルソデオキシコール酸の類似物が、グリコ-ウルソデオキシコール酸である請求項８記載の組成物。
【請求項１６】
ウルソデオキシコール酸の類似物が、タウロ-ウルソデオキシコール酸である請求項８記載の組成物。
【請求項１７】
ウルソデオキシコール酸の類似物が、他と結合したウルソデオキシコール酸誘導体である請求項８記載の組成物。
【手続補正書】
【提出日】平成18年9月25日(2006.9.25)
【手続補正１】
【補正対象書類名】明細書
【補正対象項目名】０１０６
【補正方法】変更
【補正の内容】
【０１０６】
供給時間：供給量１：３時間
供給量２：３時間１５分
供給量３：５分
供給量２の供給の終結後、供給量３を５分間供給する。供給量３の開始と同時に、温度は、１５分間で１１５℃に上昇し、全部で４５分間で重合を完結させる。
【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
ａ）重合されたビニル芳香族モノマーおよびエチレン系不飽和ニトリルモノマーの連続相、および
ｂ）ビニル芳香族モノマーおよびエチレン系不飽和ニトリルモノマーでグラフトされたエチレン／α−オレフィンゴムの分散相
を含有するグラフトポリマーにおいて、連続相ａ）が１３００００ｇ／モルより多く、２７５０００ｇ／モルまでの質量平均分子量Ｍｗを有し、分散相ｂ）が０.９０μｍ未満の質量平均粒度Ｄｗ、少なくとも０.２５および多くとも０.６５のグラフトの程度（溶剤としてアセトン中でのゲル価測定により測定した）、０.１未満の、アセトン中で測定したゲル価に対するテトラヒドロフラン（ＴＨＦ）中で測定したゲル価の比、および−５０℃未満のゴム相または軟質相のガラス転移温度（温度の関数として複素剪断弾性率の測定により決定されたＴg）を有するグラフトされたゴム相であることを特徴とするグラフトポリマー。
【手続補正書】
【提出日】平成18年9月1日(2006.9.1)
【手続補正１】
【補正対象書類名】特許請求の範囲
【補正対象項目名】全文
【補正方法】変更
【補正の内容】
【特許請求の範囲】
【請求項１】
Ａ）少なくとも１種の熱可塑性樹脂９９．６〜１０質量部、
Ｂ）少なくとも１種のゴム弾性ポリマー０〜５０質量部、
Ｃ）カーボンナノファイバー０．２〜１０．０質量部、
Ｄ）少なくとも１種の粒子状の炭素化合物、有利にはカーボンブラックまたはグラファイト粉末０．２〜１０．０質量部、
Ｅ）少なくとも１種の充填材および／または強化材０〜５０質量部
を含有する組成物。
【請求項２】
成形部材を製造するための請求項１記載の組成物の使用。
【請求項３】
請求項１記載の組成物から、または請求項２記載の使用により製造された成形部材。
【請求項４】
少なくとも２種類の熱可塑性材料からなり、該材料の少なくとも１種類は請求項１記載に相応する組成を有する、複合成形部材。
【請求項５】
請求項４記載の成形部材から製造される静電塗装された成形部材。